(57)【特許請求の範囲】
【請求項１】
筐体と、該筐体に回動可能に支持される扉部材と、該筐体に対する該扉部材の回動を規制する施錠状態から、該扉部材の回動を許容する解錠状態に移行する施錠装置とを有する遊技機であって、
前記施錠装置は、
前記扉部材に支持され、鍵により操作可能なシリンダ錠と、
前記筐体に設けられた被係合部材と、
前記扉部材に回動可能に設けられ、回動されて前記被係合部材に対して係合されることにより前記施錠装置を前記施錠状態とし、かつ該施錠状態から回動することにより該被係合部材から離脱して、該施錠装置を前記解錠状態とする鉤部材と、
前記シリンダ錠が鍵によって操作されることに連動して回動するカムと、該カムの回動に連動して摺動する摺動杆とを有する連動機構と、
前記扉部材に固定され、前記連動機構を支持するフレームと、
前記フレームに支持され、係合孔が設けられたスライド規制部材と、を備え、
前記摺動杆には、貫通孔が設けられ、
前記カムには、前記摺動杆方向に突出する突出部が設けられ、
前記カムの前記突出部が前記貫通孔を通過し、前記スライド規制部材における前記係合孔を画成する内壁と接触すると、前記摺動杆が前記鉤部材を前記筐体から前記扉部材へ向かって回動させ、前記鉤部材が前記被係合部材に係合されて前記施錠状態が形成され、
前記鍵による前記シリンダ錠の操作によって、前記突出部における前記内壁との接触が解除され、前記摺動杆が摺動し、
前記摺動杆の摺動に応じて該摺動杆が前記鉤部材を前記扉部材から前記筐体へ向かって回動させ、該鉤部材を前記被係合部材から離脱させることにより、前記施錠装置を前記解錠状態とする
ことを特徴とする遊技機。
【請求項２】
筐体と、該筐体に回動可能に支持される扉部材と、該筐体に対する該扉部材の回動を規制する施錠状態から、該扉部材の回動を許容する解錠状態に移行する施錠装置とを有する遊技機であって、
前記施錠装置は、
前記扉部材に支持され、鍵により操作可能なシリンダ錠と、
前記筐体に設けられた被係合部材と、
軸部材を介して前記扉部材に回動可能に設けられ、回動されて前記被係合部材に対して係合されることにより前記施錠装置を前記施錠状態とし、かつ該施錠状態から回動することにより該被係合部材から離脱して、該施錠装置を前記解錠状態とする鉤部材と、
前記シリンダ錠が鍵によって操作されることに連動して回動するカムと、該カムの回動に連動して摺動する摺動杆とを有する連動機構と、
前記扉部材に固定され、前記摺動杆を支持するフレームと、
前記フレームに支持され、係合孔が設けられたスライド規制部材と、を備え、
前記被係合部材は、前記鉤部材における前記軸部材より前方に配置され、
前記摺動杆には、貫通孔が設けられ、
前記カムには、前記摺動杆方向に突出する突出部が設けられ、
前記カムの前記突出部が前記貫通孔を通過し、前記スライド規制部材における前記係合孔を画成する内壁と接触すると、前記摺動杆が前記鉤部材を前記筐体から前記扉部材へ向かって回動させ、前記鉤部材が前記被係合部材に係合されて前記施錠状態が形成され、
前記鍵による前記シリンダ錠の操作によって、前記突出部における前記内壁との接触が解除され、前記摺動杆が摺動し、
前記摺動杆の摺動に応じて該摺動杆が前記鉤部材を前記扉部材から前記筐体へ向かって回動させ、該鉤部材を前記被係合部材から離脱させることにより、前記施錠装置を前記解錠状態とする
ことを特徴とする遊技機。
【請求項３】
前記フレームには、ガイド孔が形成されており、
前記スライド規制部材には、前記ガイド孔に向かって突出する規制部材ガイドが設けられており、
前記ガイド孔に前記規制部材ガイドが通されることにより前記スライド規制部材が前記フレームに支持され、かつ
前記規制部材ガイドが前記ガイド孔に案内されることにより前記スライド規制部材の移動方向を規定する
ことを特徴とする請求項１または２に記載の遊技機。
【発明の詳細な説明】
【技術分野】
【０００１】
本発明は、遊技機に対する不正行為を防止する技術に関する。
【背景技術】
【０００２】
従来、いわゆるパチンコやスロットマシンなどの遊技機は、遊技機の本体部分をなす筐体、当該筐体に開閉可能に取り付けられる扉部材（前枠、中枠等）などによって構成されている。遊技場では、遊技場の管理者等（以下、「店員等」と記載する。）によって、遊技機における扉部材が回動されて筐体の内部が開放され、メンテナンス等が行われる。
【０００３】
一般に不正防止の観点から、遊技機においては筐体と扉部材とが施錠装置で固定されている。ここで施錠装置の一例として、シリンダ錠と、摺動杆と、鉤部材と、被係合部材とを含んで構成された施錠装置について説明する。筐体に固定された被係合部材に対し、扉部材に回動可能に設けられた鉤部材が係合されることにより施錠装置の施錠状態が成立する。また、筐体側の被係合部材から鉤部材が離脱することにより、筐体と扉部材との施錠状態が解除される（以下、「解錠操作」と記載することがある。）。
【０００４】
摺動杆は、扉部材において鉤部材に隣接して設けられている。摺動杆は、扉部材において摺動可能に設けられている。摺動杆の摺動方向は、例えば遊技機の上下方向である。摺動杆が摺動することに応じて鉤部材が回動し、被係合部材と鉤部材との係合や離脱が行われる。
【０００５】
シリンダ錠は、摺動杆に隣接して扉部材に設けられている。またシリンダ錠には鍵孔が設けられており、鍵を挿入可能である。またシリンダ錠は、鍵が挿入された状態で鍵が正回転され、または逆回転される。このシリンダ錠の回転に応じて摺動杆の摺動がなされる。すなわち、この例における施錠装置の解錠操作においては、施錠状態において店員等がシリンダ錠に鍵を挿して回転させると、シリンダ錠の回転に応じて摺動杆が摺動される。摺動杆が摺動すると、隣接した鉤部材は、筐体側の被係合部材から離脱する方向に回動される。この操作によって、扉部材と筐体との固定が解除され、筐体に対して扉部材を回動させることが可能である。
【０００６】
上述のように、遊技機は、この施錠装置を解錠しなければ筐体を開放できないように構成されている。しかしながら、遊技場の許可がないにもかかわらず遊技機の当該施錠装置を解錠する不正行為が行われてしまう場合がある。例えば、筐体と扉部材との間にはわずかな隙間が生じている場合があるが、不正行為者は、その隙間から針金等の線材を差し込んで不正な解錠を試みる。すなわち不正行為者は、隙間から差し込んだ線材によって扉部材側の鉤部材と、筐体側の被係合部材とを離脱させ、正常な解錠操作を経ずに筐体と扉部材との固定を解除する。
【０００７】
筐体には、遊技にかかわる制御機器や、遊技媒体の払出しにかかわる制御機器、または遊技媒体自体が収容されている。遊技機の施錠装置に対し不正な解錠が行われると、これらの制御機器の不正な操作や不正な交換等、または遊技媒体の窃取等の不正行為が行われるおそれがある。
【０００８】
これに対し、不正な解錠操作を検出する検出センサを設けた遊技機が提案されている。ている。またそれに加え、当該検出センサが機枠の不正な開放を検出したとき、遊技が中断される遊技機が提案されている（例えば特許文献１参照）。特許文献１の遊技機では、施錠装置の解錠の有無を検出する解錠検出センサが設けられている。解錠検出センサが解錠を検出していないときに、機枠（扉部材等）の開放検出センサが機枠（扉部材等）の開放を検出した場合、不正な開放とみなす。遊技機は機枠（扉部材等）の開放を不正な開放とみなすと、図柄変動を停止させて図柄変動ゲームの進行を妨げ、不正を防止している。
【先行技術文献】
【特許文献】
【０００９】
【特許文献１】特開２００５−２９６０３６号公報（請求項１８〜請求項２２、段落番号［０１３８］）
【発明の概要】
【発明が解決しようとする課題】
【００１０】
しかしながら、特許文献１の遊技機では、解錠検出センサは、機枠の裏に取り付けられているだけであり、機枠を開放させれば簡単に露出させることができた。このため、機枠開放検出センサが機枠の開放を検出しないように機枠を少しだけこじ開け、当該機枠の隙間から針金などを差し込み、不正に解錠検出センサを誤作動させることができた。すなわち、施錠装置が解錠していないのに解錠したかのように誤作動させることができた。したがって、不正に機枠を開放する等の不正行為を完全に防止できないという問題があった。
【００１１】
また、不正な解錠検出センサの誤作動だけでなく、センサの故障等も生じる可能性があるため、検出センサのみによって不正解錠を防止することは、不正防止の確実性を損なうおそれがあった。これに対し、扉部材と筐体との固定部材（例えば上述した被係合部材および鉤部材）へ接触しにくいように、扉部材と筐体との施錠装置の構造を複雑化している遊技機が提案されている。
【００１２】
しかしながら、このような施錠装置によれば、施錠装置の構造の複雑化によって施錠装置の製造工程の複雑化を招いてしまう。施錠装置の製造工程の複雑化は、施錠装置や遊技機全体の製造コストが高くなることにもつながる。また、施錠装置を構成する部品点数が増えることによって、扉部材の開閉作業に支障をきたすおそれもある。
【００１３】
本発明は、以上の問題点に鑑みてなされたものであって、その目的は、施錠装置の製造工程が複雑化することなく、不正解錠を防止することが可能な遊技機を提供することにある。
【課題を解決するための手段】
【００１４】
上記課題を解決するための、請求項１記載の発明は、筐体と、該筐体に回動可能に支持される扉部材と、該筐体に対する該扉部材の回動を規制する施錠状態から、該扉部材の回動を許容する解錠状態に移行する施錠装置とを有する遊技機であって、前記施錠装置は、  前記扉部材に支持され、鍵により操作可能なシリンダ錠と、前記筐体に設けられた被係合部材と、前記扉部材に回動可能に設けられ、回動されて前記被係合部材に対して係合されることにより前記施錠装置を前記施錠状態とし、かつ該施錠状態から回動することにより該被係合部材から離脱して、該施錠装置を前記解錠状態とする鉤部材と、前記シリンダ錠が鍵によって操作されることに連動して回動するカムと、該カムの回動に連動して摺動する摺動杆とを有する連動機構と、前記扉部材に固定され、前記連動機構を支持するフレームと、前記フレームに支持され、係合孔が設けられたスライド規制部材と、を備え、前記摺動杆には、貫通孔が設けられ、前記カムには、前記摺動杆方向に突出する突出部が設けられ、前記カムの前記突出部が前記貫通孔を通過し、前記スライド規制部材における前記係合孔を画成する内壁と接触すると、前記摺動杆が前記鉤部材を前記筐体から前記扉部材へ向かって回動させ、前記鉤部材が前記被係合部材に係合されて前記施錠状態が形成され、前記鍵による前記シリンダ錠の操作によって、前記突出部における前記内壁との接触が解除され、前記摺動杆が摺動し、前記摺動杆の摺動に応じて該摺動杆が前記鉤部材を前記扉部材から前記筐体へ向かって回動させ、該鉤部材を前記被係合部材から離脱させることにより、前記施錠装置を前記解錠状態とすることを特徴とする。
【００１５】
前記鉤部材は、前記扉部材において前記被係合部材の後方側に設けられた軸部材によって回動可能に支持されるようにしてもよい（請求項２記載の発明に相当）。
【００１６】
また、上記課題を解決するための、請求項２記載の発明は、筐体と、該筐体に回動可能に支持される扉部材と、該筐体に対する該扉部材の回動を規制する施錠状態から、該扉部材の回動を許容する解錠状態に移行する施錠装置とを有する遊技機であって、前記施錠装置は、前記扉部材に支持され、鍵により操作可能なシリンダ錠と、前記筐体に設けられた被係合部材と、軸部材を介して前記扉部材に回動可能に設けられ、回動されて前記被係合部材に対して係合されることにより前記施錠装置を前記施錠状態とし、かつ該施錠状態から回動することにより該被係合部材から離脱して、該施錠装置を前記解錠状態とする鉤部材と、前記シリンダ錠が鍵によって操作されることに連動して回動するカムと、該カムの回動に連動して摺動する摺動杆とを有する連動機構と、前記扉部材に固定され、前記摺動杆を支持するフレームと、前記フレームに支持され、係合孔が設けられたスライド規制部材と、を備え、前記被係合部材は、前記鉤部材における前記軸部材より前方に配置され、
前記摺動杆には、貫通孔が設けられ、前記カムには、前記摺動杆方向に突出する突出部が設けられ、前記カムの前記突出部が前記貫通孔を通過し、前記スライド規制部材における前記係合孔を画成する内壁と接触すると、前記摺動杆が前記鉤部材を前記筐体から前記扉部材へ向かって回動させ、前記鉤部材が前記被係合部材に係合されて前記施錠状態が形成され、前記鍵による前記シリンダ錠の操作によって、前記突出部における前記内壁との接触が解除され、前記摺動杆が摺動し、前記摺動杆の摺動に応じて該摺動杆が前記鉤部材を前記扉部材から前記筐体へ向かって回動させ、該鉤部材を前記被係合部材から離脱させることにより、前記施錠装置を前記解錠状態とすることを特徴とする。
【００１７】
前記鉤部材を前記軸部材側から前記扉部材へ向かって延びるように形成し、該扉部材側に、前記被係合部材に係合する係合凹部が設けられるようにしてもよい（請求項４記載の発明に相当）。
【００１８】
前記扉部材に、前記軸部材を支持する支持部材を設け、この支持部材に、少なくとも前記鉤部材と向かい合う面を覆わせるようにしてもよい（請求項５記載の発明に相当）。
【００１９】
前記鉤部材および前記支持部材を、それぞれ略板状にかつ互いに略平行に形成してもよい（請求項６記載の発明に該当）。
【００２０】
前記鉤部材および前記支持部材を、前記筐体の上下方向に略平行に形成してもよい（請求項７記載の発明に相当）。
【００２１】
前記フレームには、ガイド孔が形成されており、前記スライド規制部材には、前記ガイド孔に向かって突出する規制部材ガイドが設けられており、前記ガイド孔に前記規制部材ガイドが通されることにより前記スライド規制部材が前記フレームに支持され、かつ前記規制部材ガイドが前記ガイド孔に案内されることにより前記スライド規制部材の移動方向を規定してもよい（請求項３記載の発明に相当）。
【発明の効果】
【００２２】
本発明の遊技機は、鉤部材が扉部材から筐体へ向かって、すなわち遊技機後方へ回動することに応じて、鉤部材が筐体側の被係合部材から離脱する。このような構成によれば、遊技機前後方向において鉤部材の回動軌跡を確保する必要があるため、扉部材と筐体の隙間から見て鉤部材がより後方側へ配置されることになる。すなわち、隙間から鉤部材までの距離が長くなるため、線材等によって鉤部材への不正な接触をすることが困難となる。したがって、施錠装置や扉部材、筐体などの構造を複雑化せずに、不正な解錠操作を行うことを防止することが可能となる。
【図面の簡単な説明】
【００２３】
【図１】実施形態にかかるパチスロ機の概略正面図である。
【図２】実施形態にかかるパチスロ機の概略平面図である。
【図３】実施形態にかかるパチスロ機の概略右側面図である。
【図４】実施形態にかかるパチスロ機の概略左側面図である。
【図５】実施形態にかかるパチスロ機において前扉を開放した状態を示す概略正面図である。
【図６】実施形態にかかるパチスロ機において前扉を開放した状態を上方から見た概略斜視図である。
【図７】実施形態にかかるパチスロ機において前扉を開放した状態を示す概略右側面図である。
【図８】実施形態にかかるパチスロ機において前扉を開放した状態を示す概略左側面図である。
【図９】実施形態にかかるロック状態の施錠装置を背面側から示す概略斜視図である。
【図１０Ａ】実施形態にかかる施錠装置の一部を分解した状態を示す概略分解斜視図である。
【図１０Ｂ】実施形態にかかる施錠装置の一部を分解した状態を示す概略分解斜視図である。
【図１１Ａ】実施形態にかかる施錠装置の一部を分解した状態を示す概略分解斜視図である。
【図１１Ｂ】実施形態にかかる施錠装置の一部を分解した状態を示す概略分解斜視図である。
【図１２】実施形態にかかるロック状態の施錠装置を示す概略正面図である。
【図１３】実施形態にかかるロック状態の施錠装置を示す概略背面図である。
【図１４】実施形態にかかるロック状態の施錠装置を示す概略左側面図である。
【図１５Ａ】実施形態にかかるロック状態の施錠装置を示す概略左側面図である。
【図１５Ｂ】図１５Ａの部分拡大図である。
【図１６】実施形態にかかるロック解除動作中の施錠装置を背面側から示す概略斜視図である。
【図１７】実施形態にかかるロック解除動作中の施錠装置を示す概略正面図である。
【図１８】実施形態にかかるロック解除動作中の施錠装置を示す概略背面図である。
【図１９】実施形態にかかるロック解除動作中の施錠装置を示す概略左側面図である。
【図２０Ａ】実施形態にかかるロック解除動作中の施錠装置を示す概略左側面図である。
【図２０Ｂ】図２０Ａの部分拡大図である。
【図２１】実施形態にかかるロック解除動状態の施錠装置を背面側から示す概略斜視図である。
【図２２】実施形態にかかるロック解除状態の施錠装置を示す概略正面図である。
【図２３】実施形態にかかるロック解除状態の施錠装置を示す概略背面図である。
【図２４】実施形態にかかるロック解除状態の施錠装置を示す概略左側面図である。
【図２５Ａ】実施形態にかかるロック解除状態の施錠装置を示す概略左側面図である。
【図２５Ｂ】図２５Ａの部分拡大図である。
【発明を実施するための形態】
【００２４】
本発明に係る遊技機の一例としてパチンコ式スロットマシン（回胴式遊技機／以下、「パチスロ機」と示す）に具体化した実施形態を、図１〜図２５Ｂに基づき説明する。なお、以下の説明において「上」「下」「左」「右」「表（前）」「裏（後）」と記載した場合、特に断らない限り、パチスロ機１０を機表側から見た場合（遊技場での設置状態において遊技者側から見た場合）の「上」「下」「左」「右」「表（前）」「裏（後）」を示すものとする。
【００２５】
（遊技機概要）
まず実施形態にかかるパチスロ機１０の概略構成について図１〜図４を参照して説明する。図１は、実施形態にかかるパチスロ機１０の概略正面図（前側から見た図）である。図２は、実施形態にかかるパチスロ機１０の概略平面（上面）図である。図３は、実施形態にかかるパチスロ機１０の概略右側面図である。図４は、実施形態にかかるパチスロ機１０の概略左側面図である。
【００２６】
図１〜図４に示すように、パチスロ機１０は、前方から見て矩形に形成された機本体１１および前扉１２が組み合わされて構成されている。また、前扉１２は、機本体１１の前面側部に所定の間隔を開けて設けられたヒンジを介して機本体１１に取り付けられている。例えば、図２に示すように、機本体１１における、左前の側縁部の上端近傍にはヒンジ１１ａが設けられており、また同様に、機本体１１における、左前の側縁部の下端近傍にはヒンジ（不図示）が設けられている。前扉１２は、この機本体１１のヒンジ１１ａ等に枢支されている。すなわち、前扉１２は、機本体１１に対して前後方向へ開閉可能に支持されている。
【００２７】
また図３および図４に示すように、パチスロ機１０を側方から見ると、前扉１２は機本体１１に対して平行でなく、上から下へ向かって前方側へ傾斜するようにして枢支されている。
【００２８】
＜前扉１２の正面側＞
前扉１２には、遊技を行うための操作部や、演出・各種情報を表示する表示部、遊技性の向上に供される各種装飾部等が設けられている。例えば、図１〜図４に示す例においては、装飾、演出、および遊技情報の報知に用いられる、パネル板１２ａ、図柄表示窓１２ｂ、情報表示部１２ｃ、演出表示部１２ｄが設けられている。
【００２９】
パネル板１２ａは、パチスロ機１０の装飾等のための前扉１２の前面略中央部に設けられ、各種装飾が施されている。さらにパネル板１２ａの中央には、図柄表示窓１２ｂが設けられている。図柄表示窓１２ｂは、遊技者がパチスロ機１０の前側から、機本体１１内に配設された回転リール１９を視認可能とする。また、パネル板１２ａの下方には、遊技に関する各種情報を報知する情報表示部１２ｃが、情報の種類に応じて設けられている。また、前扉１２における前面略上部、すなわちパネル板１２ａの上側には、パチスロ機１０の遊技状態に対応して、各種表示演出を行う演出表示部１２ｄ等が配設されている。
【００３０】
また、前扉１２の前面においてパネル板１２ａの右下方位置には、前扉１２の前面側遊技媒体であるメダルを投入するメダル投入口１３（図１・図２参照）等が設けられている。また、前扉１２の前面において、パネル板１２ａの左下方位置であってメダル投入口１３と略対称となる位置にはＢＥＴボタン１４、ＭＡＸＢＥＴボタン１５が並設され（図１・図２参照）、ＢＥＴボタン１４のやや下方にクレジットボタン１６が、ＭＡＸＢＥＴボタン１５のやや下方にスタートレバー１７（図１・図３・図４参照）が設けられている。また、パネル板１２ａの下方かつ前扉１２の前面の略中央位置においてクレジットボタン１６およびスタートレバー１７と並設されるようにストップボタン１８が３つ並設されている。また、メダル投入口１３から機本体１１側へ投入されるメダルの通路には、メダルセンサが配設されている。メダルセンサは、投入されたメダルの通過を検知する。
【００３１】
パチスロ機１０では、メダル投入口１３から投入されたメダル、または遊技の結果、払い出された賞メダルを貯留データ（以下、「クレジット」と示す）として記憶する。また、ＢＥＴボタン１４およびＭＡＸＢＥＴボタン１５は、当該クレジットされた貯留データから、遊技者が任意に設定した賭率に合わせて、１ゲーム分のメダルを投入するための操作手段となるものである。
【００３２】
図４に示すようにスタートレバー１７は、前扉１２の前面から遊技者側へ突出して設けられている。スタートレバー１７は、遊技者等が操作することにより、操作位置と原位置との間を揺動可能に構成され、原位置の方向に付勢されている。このスタートレバー１７には、レバースイッチ（図示省略）が設けられている。遊技者により付勢力に抗してスタートレバー１７が揺動操作されるとレバースイッチがオンの状態となる。スタートレバー１７が付勢力により原位置に戻るとレバースイッチがオフの状態都なる。
【００３３】
３つの各ストップボタン１８は、３つの各回転リール１９にそれぞれ対応している。また、これらのストップボタン１８それぞれに対応して押圧スイッチ（図示省略）が設けられている。ストップボタン１８がそれぞれ押圧されると、各押圧スイッチから制御部（不図示）に信号が送信される。この信号により、制御部は、押圧されたストップボタン１８に対応する回転リール１９の回転をそれぞれ停止させる。
【００３４】
また、図１に示すように前扉１２の前面における下部中央にはメダル排出口２０が形成されている。また、前扉１２には、メダル排出口２０の開口と連続して受皿２１が設けられている。図３および図４に示すように、受皿２１は、前扉１２から略前方に突出して設けられている。したがって、受皿２１には、操作者の払い出し操作や遊技結果に応じて、メダル排出口２０から排出されたメダルが貯留される。
【００３５】
また、前扉１２の前面における回動軸（ヒンジ側）側と反対側には、機本体１１に対する前扉１２の回動をロックする錠部材３０が設けられている。図１および図３に示す例においては、前扉１２の前面におけるパネル板１２ａの下方において、左から右へ順に、クレジットボタン１６、スタートレバー１７、ストップボタン１８、錠部材３０が並設されている。この錠部材３０としては、シリンダ錠等が用いられる。錠部材３０は、長手方向が機前後方向であり、この方向を軸に回転可能である。すなわち、店員等が錠部材３０に鍵ｋ（図３参照）を挿して回転させると、後述のロック状態が解除され、機本体１１に対する前扉１２の回動が許容される。ロック状態およびロック状態の解除の詳細については、後述する。
【００３６】
（回動動作および機本体１１の概要）
次に実施形態にかかるパチスロ機１０の内部（機本体１１、前扉１２背面）の概略構成および前扉１２の回動動作について図５〜図８を参照して説明する。図５は、実施形態にかかるパチスロ機１０において前扉１２を開放した状態を示す概略正面図である。図６は、実施形態にかかるパチスロ機１０において前扉１２を開放した状態を上方から見た概略斜視図である。図７は、実施形態にかかるパチスロ機１０において前扉１２を開放した状態を示す概略右側面図である。図８は、実施形態にかかるパチスロ機１０において前扉１２を開放した状態を示す概略左側面図である。なお、図５においては、図１において図示を省略した回転リール１９の概要を示している。また、図７においては、表示制御基板の図示を省略している。
【００３７】
＜機本体１１＞
錠部材３０に鍵ｋを挿して回転させると、ロック状態が解除され、機本体１１に固定されていた、前扉１２を前方へ回動させることが可能となる。図５に示すように、前扉１２を回動させると機本体１１の内部へアクセス可能となる。機本体１１側、すなわちパチスロ機１０の内部には、図５に示す主制御基板４０、サブ統括制御基板、電源基板、駆動制御基板等、の各種制御部が設けられている。また、機本体１１には、図５および図６に示す回転リール１９、払出装置５０、貯留部５１、電源ユニット等が配設されている。
【００３８】
払出装置５０は、タンクとホッパー機構と、ホッパー機構を駆動するための駆動ユニットとを備えている。このタンクには、払出し用の遊技媒体や、投入された遊技媒体が貯留されており、貯留された遊技媒体が増加して、タンクから溢れ出た場合には、タンクに設けられたノズルを経て貯留部５１に排出される。
【００３９】
＜前扉１２の背面側＞
図７に示すように、前扉１２の背面側には、表示制御基板（図示省略）、投入メダル検知部（メダルセレクター）５２、スピーカＳ、施錠装置６０等が配設されている。表示制御基板は、遊技の状態に応じて演出表示部１２ｄの表示演出を制御する。投入メダル検知部５２は、メダル投入口１３から投入されたメダルを検知するセンサを備えており、メダルが投入されるとメダルを検知し、検知信号を制御部に送る。
【００４０】
＜前扉１２の背面側＞
錠部材３０に鍵ｋが挿入され、回転されると、錠部材３０の背面側端部に設けられたカム３２が回転する。カムが回転すると後述する施錠装置６０の連動機構が移動し、ロック状態が解除される。なお、施錠装置６０の構成については後述する。
【００４１】
＜前扉１２の回動動作＞
次に図５〜図８を参照して前扉１２の回動動作の概要について説明する。
【００４２】
まず、図１〜図４に示すように前扉１２の開閉動作（回動）がロック状態となっているときに、店員等が鍵ｋを鍵穴３１（図１）に挿して回転させると錠部材３０が回転される。錠部材３０が回転されると、錠部材３０の背面側端部に接続されたカム３２（図７）が連動して回転される。カム３２が回転されると、カム３２の突出部が施錠装置６０の連動機構を移動させ、係合部材（図５・符号６２・６４参照）を回転させ、ロック状態が解除される。
【００４３】
ロック状態が解除されると、機本体１１対する前扉１２の回動動作、すなわち前扉１２の開閉動作が可能になる。店員等はこのようにしてロック状態を解除し、図５〜図８に示すように前扉１２を開方向に回動させ、パチスロ機１０内部にアクセス可能な状態とする。
【００４４】
（施錠装置６０）
次に、図９〜図２５Ｂを参照し、実施形態にかかる施錠装置６０の構成および動作について説明する。図９は、実施形態にかかるロック状態の施錠装置６０を背面側から示す概略斜視図である。図１０Ａは、実施形態にかかる施錠装置６０の一部を分解した状態を示す概略分解斜視図である。図１０Ｂは、実施形態にかかる施錠装置６０の一部を分解した状態を示す概略分解斜視図である。図１１Ａは、実施形態にかかる施錠装置６０の一部を分解した状態を示す概略分解斜視図である。図１１Ｂは、実施形態にかかる施錠装置６０の一部を分解した状態を示す概略分解斜視図である。
【００４５】
＜フレーム６１の全体構成＞
図５に示すように、施錠装置６０は前扉１２に固定されて支持される。施錠装置６０を前扉１２に取り付けるための基礎部分として、フレーム６１を備えている。図９に示すようにフレーム６１は、上下方向を長手方向とし、長手方向に直交する断面がコの字形状に形成され、また部分的に断面がＬ字形状となるように形成されている。以下、具体的な構成について説明する。
【００４６】
図９、図１０Ａおよび図１０Ｂに示すように、フレーム６１は、前扉１２の背面に取り付けられる取付板６１ａを備えている。取付板６１ａは、前扉１２対して平行になるように組み付けられる。また、フレーム６１は、取付板６１ａと略直交して、取付板６１ａの側縁部から突出する右側板６１ｂを備えている。この右側板６１ｂはパチスロ機１０の内部（前から後）へ向かって折り曲げられるように形成されている。この取付板６１ａと右側板６１ｂとによってフレーム６１の断面が略Ｌ字形状となる（図１０Ｂ参照）。なお、図９および図１０Ａにおいてはフレーム６１をパチスロ機１０の背面側から見ているため、右側板６１ｂが図面の左側に位置しており、左上側板６１ｃ、左下側板６１ｆ、左中央側板６１ｊが図面の右側に位置している。
【００４７】
また図９および図１０Ａに示すように、フレーム６１は、取付板６１ａにおける右側板６１ｂと反対側の側縁部から取付板６１ａと略直交するように突出する左上側板６１ｃ、左下側板６１ｆ、左中央側板６１ｊを備えている。右側板６１ｂと同様に、左上側板６１ｃ、左下側板６１ｆ、左中央側板６１ｊは、パチスロ機１０の内部側へ折り曲げられる。つまり、左上側板６１ｃ、左下側板６１ｆ、左中央側板６１ｊは、右側板６１ｂと対向するように形成される。図１０Ａに示すように、左上側板６１ｃ、左下側板６１ｆ、左中央側板６１ｊは、互いに連続せずに、それぞれが分離して形成される。
【００４８】
したがって、フレーム６１における、左上側板６１ｃ、左下側板６１ｆ、左中央側板６１ｊが形成されている部分の断面はコの字型であり、それ以外の部分は断面がＬ字型になる。下被覆部６１ｇが前扉１２に取り付けられると、一方の右側板６１ｂは、図５に示すように前扉１２と機本体１１との隣接部分の側に位置し、他方の左上側板６１ｃ、左下側板６１ｆ、左中央側板６１ｊは、パチスロ機１０の内部側に位置する。したがって、前扉１２と機本体１１との隣接部分から線材等を侵入させることを防ぐため、右側板６１ｂはフレーム６１の長手方向に沿って連続した面を有するように形成されている。
【００４９】
また図９、図１１Ａおよび図１１Ｂに示すように、左上側板６１ｃには、機本体１１と前扉１２のロック状態を形成する上係合部材６２が回動可能に取り付けられる。また、左上側板６１ｃには、スライド板６３が取り付けられる。図９に示すように上係合部材６２は、その一部が、左上側板６１ｃとスライド板６３に挟まれるようにして取り付けられる。また、スライド板６３は、錠部材３０におけるカム３２の回動に応じて上下動する。スライド板６３は、「摺動杆」の一例に該当する。上係合部材６２、スライド板６３の詳細については後述する。
【００５０】
また図９、図１１Ａおよび図１１Ｂに示すように、左下側板６１ｆには、機本体１１と前扉１２のロック状態を形成する下係合部材６４が回動可能に取り付けられる。また、左下側板６１ｆには、スライド板６３が取り付けられる。図９に示すように下係合部材６４は、その一部が、左下側板６１ｆとスライド板６３とに挟まれるようにして取り付けられる。下係合部材６４の詳細については後述する。
【００５１】
＜左上側板６１ｃ、上係合部材６２＞
左上側板６１ｃは、図９および図１０Ａに示すようにフレーム６１の上端から略中間位置までの長さを有する。また左上側板６１ｃは、その長手方向の略中間位置において上被覆部６１ｄが形成されている。図９および図１０Ａ上被覆部６１ｄは、左上側板６１ｃの突出する長さより長く突出している。また上被覆部６１ｄには、当該突出方向と逆の方向に切欠かれた上支持凹部６１ｅが形成されている。この上支持凹部６１ｅには、機本体１１から延出された第１被係合ピン７０が係合される。なお、第１被係合ピン７０は、「被係合部材」の一例に該当する。
【００５２】
また、上被覆部６１ｄにおける上支持凹部６１ｅの上方には、板状の上係合部材６２が回動可能に取り付けられる。すなわち、上被覆部６１ｄの突出方向側には、上係合部材６２を回動可能に支持する第１回動軸６２ａが設けられている。図１１Ａおよび図１１Ｂに示すように、板状の上係合部材６２には、第１被係合ピン７０を受け入れ可能な大きさの第１係合凹部６２１が形成されている。この第１係合凹部６２１の位置は、上係合部材６２が上被覆部６１ｄに取り付けられた状態において、上係合部材６２の正面側かつ下側である。
【００５３】
上述のように、上被覆部６１ｄがパチスロ機１０の内側へ突出しており、さらに第１回動軸６２ａが上被覆部６１ｄの突出端側に設けられている。また図９に示すように機本体１１から延出された第１被係合ピン７０は、第１回動軸６２ａより正面側（前側）に位置している。したがって、上係合部材６２が第１被係合ピン７０に係合し、機本体１１と前扉１２のロック状態を形成するように回動する場合、上係合部材６２の回動方向は、パチスロ機１０の正面側かつ下方である。
【００５４】
本実施形態のように機本体１１から延出された第１被係合ピン７０に上係合部材６２を回動させて係合させる構成の場合、当該回動動作に支障がない程度に、上係合部材６２の回動軌跡を確保することが望ましい。つまり、上係合部材６２の長さを確保する必要がある。このような構成によれば、上係合部材６２をパチスロ機１０の内側へ後退させる必要がある。上係合部材６２が後退すれば、すなわち、前扉１２と機本体１１との隙間が生じていても、当該隙間から上係合部材６２までの距離が長くなるため、上係合部材６２への線材等による不正な接触を行うことが困難となる。したがって、施錠装置や前扉１２、機本体１１などの構造を複雑化せずに、不正な解錠操作を行うことを防止することが可能となる。
【００５５】
また、図９に示すように、板状である上係合部材６２の板面の一方が上被覆部６１ｄに覆われている。したがって、上係合部材６２への線材等による不正な接触を行うことが困難となる。本実施形態は、これらの構成それぞれによって、施錠装置や前扉１２、機本体１１などの構造を複雑化せずに、不正な解錠操作を行うことを防止することが可能となる。
【００５６】
＜左下側板６１ｆ、下係合部材６４＞
左下側板６１ｆは、図９および図１０Ａに示すようにフレーム６１の略中間位置に形成された左中央側板６１ｊの下方に形成される。また左下側板６１ｆには、その長手方向の略中間位置において下被覆部６１ｇが形成されている。図９および図１０Ａに示すように下被覆部６１ｇは、左下側板６１ｆの突出する長さより長く突出している。また下被覆部６１ｇには、当該突出方向と逆の方向に切欠かれた下支持凹部６１ｈが形成されている。この下支持凹部６１ｈには、機本体１１から延出された第２被係合ピン７１が係合される。なお、第２被係合ピン７１は、「被係合部材」の一例に該当する。
【００５７】
また、下被覆部６１ｇにおける下支持凹部６１ｈの上方には、板状の下係合部材６４が回動可能に取り付けられる。すなわち、下被覆部６１ｇの突出方向側には、下係合部材６４を回動可能に支持する第２回動軸６４ａが設けられている。図１１Ａおよび図１１Ｂに示すように、板状の下係合部材６４には、第２被係合ピン７１を受け入れ可能な大きさの第２係合凹部６４１が形成されている。この第２係合凹部６４１の位置は、下係合部材６４が下被覆部６１ｇに取り付けられた状態において、下係合部材６４の正面側かつ下側である。
【００５８】
上述のように、左下側板６１ｆがパチスロ機１０の内側へ突出しており、さらに第２回動軸６４ａが下被覆部６１ｇの突出端側に設けられている。また図９に示すように機本体１１から延出された第２被係合ピン７１は、第２回動軸６４ａより正面側（前側）に位置している。したがって、下係合部材６４が第２被係合ピン７１に係合し、機本体１１と前扉１２のロック状態を形成するように回動する場合、下係合部材６４の回動方向は、パチスロ機１０の正面側かつ下方である。
【００５９】
本実施形態のように機本体１１から延出された第２被係合ピン７１に下係合部材６４を回動させて係合させる構成の場合、当該回動動作に支障がない程度に、下係合部材６４の回動軌跡を確保するために下係合部材６４の長さを設定する必要がある。このような構成によれば、下係合部材６４をパチスロ機１０の内側へ後退させる必要がある。下係合部材６４が後退すれば、すなわち、前扉１２と機本体１１との隙間が生じていても、当該隙間から下係合部材６４までの距離が長くなるため、下係合部材６４への線材等による不正な接触を行うことが困難となる。したがって、施錠装置や前扉１２、機本体１１などの構造を複雑化せずに、不正な解錠操作を行うことを防止することが可能となる。
【００６０】
また、図９に示すように、板状である下係合部材６４の板面の一方が下被覆部６１ｇに覆われている。したがって、下係合部材６４への線材等による不正な接触を行うことが困難となる。本実施形態は、これらの構成それぞれによって、施錠装置や前扉１２、機本体１１などの構造を複雑化せずに、不正な解錠操作を行うことを防止することが可能となる。
【００６１】
＜左中央側板６１ｊ＞
左中央側板６１ｊは、図９および図１０Ａに示すようにフレーム６１の略中間位置に形成される。また左中央側板６１ｊは、フレーム６１の上下方向に所定の長さを有する。また左中央側板６１ｊには、その輪郭形状より一回り小さい程度の大きさを有する中間ガイド孔ＧＨ３が形成されている。この中間ガイド孔ＧＨ３に、後述するスライド規制部材６７の規制部材ガイド６７ａが挿通されることにより、スライド規制部材６７の上下動のガイドおよびスライド規制部材６７の支持をする。
【００６２】
＜錠部材支持孔６１ｋ＞
図１０Ａおよび図１０Ｂに示すように、錠部材支持孔６１ｋには、錠部材３０が挿通される。錠部材３０は、フレーム６１と接する基端部に台座（フランジ）を備えており、この台座部分をフレーム６１の取付板６１ａに固定することによりフレーム６１に支持される。
【００６３】
＜スライド板６３＞
図９に示すように、スライド板６３は、フレーム６１の上方に形成された上被覆部６１ｄから、フレーム６１の略中間位置に形成された左中央側板６１ｊを経て、フレーム６１の下方に形成された左下側板６１ｆまで至る長さを有する。
【００６４】
スライド板６３は、その上方に第１スライド支持軸６３ａを備えている。図１１Ａおよび図１１Ｂに示すように、第１スライド支持軸６３ａは、上係合部材６２の貫通孔を通過し上被覆部６１ｄに形成された上ガイド孔ＧＨ１（図１０Ａ参照）に通される。上被覆部６１ｄにおける上ガイド孔ＧＨ１は、上被覆部６１ｄにおいて第１被係合ピン７０の支持位置（上支持凹部６１ｅの端部）よりさらに正面側（パチスロ機１０の前側）において、長穴形状に設けられる。また、上ガイド孔ＧＨ１の長手方向は、フレーム６１の上下方向に沿って設けられる。すなわちスライド板６３は、第１スライド支持軸６３ａを介して、上ガイド孔ＧＨ１に支持され、かつ上ガイド孔ＧＨ１にガイドされて上下動することが可能である。
【００６５】
この第１スライド支持軸６３ａは、上係合部材６２の貫通孔も通されているので、第１スライド支持軸６３ａの上方移動とともに上係合部材６２も第１スライド支持軸６３ａによって上方に移動する。
【００６６】
スライド板６３は、その下方に第２スライド支持軸６３ｃを備えている。図１１Ａおよび図１１Ｂに示すように、第２スライド支持軸６３ｃは、下係合部材６４の貫通孔を通過し下被覆部６１ｇに形成された下ガイド孔ＧＨ２に通される。下被覆部６１ｇにおける下ガイド孔ＧＨ２は、下被覆部６１ｇにおいて第２被係合ピン７１の支持位置（下支持凹部６１ｈの端部）よりさらに正面側（パチスロ機１０の前側）において、長穴形状に設けられる。また、下ガイド孔ＧＨ２の長手方向は、フレーム６１の上下方向に沿って設けられる。すなわちスライド板６３は、第２スライド支持軸６３ｃを介して、下ガイド孔ＧＨ２に支持され、かつ下ガイド孔ＧＨ２にガイドされて上下動することが可能である。
【００６７】
この第２スライド支持軸６３ｃは、下係合部材６４の貫通孔も通されているので、第２スライド支持軸６３ｃの上方移動とともに下係合部材６４も第２スライド支持軸６３ｃによって上方に移動する。
【００６８】
上被覆部６１ｄと同様に、下被覆部６１ｇがパチスロ機１０の内側へ突出しており、さらに第２回動軸６４ａが下被覆部６１ｇの突出端側に設けられている。また図９に示すように機本体１１から延出された第２被係合ピン７１は、第２回動軸６４ａより正面側（前側）に位置している。したがって、下係合部材６４が第２被係合ピン７１に係合し、機本体１１と前扉１２のロック状態を形成するように回動する場合、下係合部材６４の回動方向は、パチスロ機１０の正面側かつ下方である。
【００６９】
本実施形態のように機本体１１から延出された第２被係合ピン７１に下係合部材６４を回動させて係合させる構成の場合、当該回動動作に支障がない程度に、下係合部材６４の回動軌跡を確保することが望ましい。つまり、下係合部材６４の長さをこれに応じて設定する必要がある。このような構成によれば、下係合部材６４をパチスロ機１０の内側へ後退させる必要がある。下係合部材６４が後退すれば、すなわち、前扉１２と機本体１１との隙間が生じていても、当該隙間から下係合部材６４までの距離が長くなるため、下係合部材６４への線材等による不正な接触を行うことが困難となる。したがって、施錠装置や前扉１２、機本体１１などの構造を複雑化せずに、不正な解錠操作を行うことを防止することが可能となる。
【００７０】
また、図９・図１１Ａおよび図１１Ｂに示すように、スライド板６３の中間よりやや下方は、その長手方向に沿って凹形状となっている。スライド板６３におけるこの位置は、錠部材３０のカム３２、スライド規制部材６７、中間係合部材６９等に対応している。スライド板６３におけるこの部分には、カム３２の第１突出部３２ａを通過可能とする第１貫通孔６３ｄが設けられている。またこの部分には、カム３２の第２突出部３２ｃを通過可能とする第２貫通孔３２ｅが設けられている。
【００７１】
また、図９・図１１Ａおよび図１１Ｂに示すように、スライド板６３における上端と上記凹形状部分との間には、後述の第１ばね部材８０の上端が係合される第１フック６３ｆが設けられている。また凹形状部分の下方には、後述の第２ばね部材８１の上端が係合される第１フック６３ｆが設けられている。
【００７２】
＜スライド規制部材６７＞
図９に示すように、スライド規制部材６７は、上端が第１ばね部材８０下端の位置に対応し、下端は第２ばね部材８１の下端近傍まで至る長さを有する。スライド規制部材６７は長手方向の中間位置よりやや上方に、中間ガイド孔ＧＨ３に挿通され、スライド規制部材６７の上下動ガイドおよび左中央側板６１ｊに支持されるための規制部材ガイド６７ａが設けられている。規制部材ガイド６７ａは、上下方向に所定の長さを有しており、長さ、幅ともに、中間ガイド孔ＧＨ３に挿通可能な大きさに形成されている。
【００７３】
また、スライド規制部材６７には、スライド板６３の第１貫通孔６３ｄ、カム３２に対応する位置に係合孔６７ｃが設けられている。この係合孔６７ｃには、スライド板６３の第１貫通孔６３ｄを通過したカム３２の第１突出部３２ａが当接する。錠部材３０が回転されるとともにカム３２が回転し、第１突出部３２ａと第１バネフック６７ｄの当接が解除されると、カム３２による第１ばね部材８０の付勢力に抗してスライド規制部材６７を下げようとする力が解除される。
【００７４】
また、図１１Ａおよび図１１Ｂに示すように、スライド規制部材６７の上端部には第１ばね部材８０の下端部が係合される第１バネフック６７ｄが設けられている。フレーム６１の上方に形成された上被覆部６１ｄから、フレーム６１の略中間位置に形成された左中央側板６１ｊを経て、フレーム６１の下方に形成された左下側板６１ｆまで至る長さを有する。
【００７５】
＜中間係合部材６９＞
図１１Ａおよび図１１Ｂに示すように、スライド板６３とスライド規制部材６７の間に挟まれるようにして中間係合部材６９が配置される。中間係合部材６９は、係止部と、吊上部６９ａと、第２バネフック６９ｃが設けられている。第２バネフック６９ｃには第２ばね部材８１の上端部が係合される。また吊上部６９ａは貫通孔であり、第２突出部３２ｃを挿通可能な大きさを有し、錠部材３０に解錠操作がなされると、カム３２が回転し、第２突出部３２ｃが吊上部６９ａの孔の上端面を吊り上げる。
【００７６】
この動作により、第２ばね部材８１が吊り上げられるとともに、スライド板６３の第２フック６３ｇを介して、スライド板６３が上方にスライドする。スライド板６３のスライド移動により、第２回動軸６４ａにしたがって下係合部材６４が上方に回動し、下係合部材６４と第２被係合ピン７１のロック状態が解除される。
【００７７】
（施錠装置６０の動作）
次に、図９〜図２５Ｂを参照して、錠部材３０および施錠装置６０の動作について説明する。
【００７８】
＜ロック状態＞
図９、図１２〜図１５Ａを参照して、ロック状態について説明する。図９、図１２〜図１５Aに示すように、錠部材３０の鍵穴３１に鍵ｋが挿されて回転されるまでは、錠部材３０および施錠装置６０の各部は以下のようになっている。図１２は、実施形態にかかるロック状態の施錠装置６０を示す概略正面図である。図１３は、実施形態にかかるロック状態の施錠装置６０を示す概略背面図である。図１４は、実施形態にかかるロック状態の施錠装置６０を示す概略左側面図である。図１５Ａは、実施形態にかかるロック状態の施錠装置６０を示す概略右側面図である。図１５Ｂは、図１５Ａの部分拡大図である。
【００７９】
図９および図１３に示すように、解錠操作がなされるまで、カム３２における第１突出部３２ａは、スライド板６３の第１貫通孔６３ｄを通過し、係合孔６７ｃの内壁を押圧している。これにより第１ばね部材８０の付勢力に抗してスライド板６３も押し下げられている。
【００８０】
また、図１５Ｂに示すようにスライド板６３の上端の第１スライド支持軸６３ａは連結された上係合部材６２も押し下げられており、上係合部材６２の第１係合凹部６２１は、機本体１１から延出された第１被係合ピン７０に係合している。上係合部材６２は、フレーム６１を介して前扉１２に接続されているので、機本体１１および前扉１２はロック状態となっている。
【００８１】
また、図９および図１３に示すように、解錠操作がなされるまで、カム３２における第２突出部３２ｃは、スライド板６３の第２貫通孔６３ｅに入っておらず、スライド板６３と右側板６１ｂとの間に位置している。この状態においては、第２ばね部材８１の付勢力により、中間係合部材６９の第２バネフック６９ｃとスライド板６３の第２フック６３ｇとが引き付けられている。したがって、下係合部材６４と第２被係合ピン７１とが係合しており、ロック状態となっている。また中間係合部材６９もロック状態となっている。
【００８２】
＜解錠操作中＞
図１６〜図２０Ｂを参照して、解錠操作中の状態について説明する。錠部材３０の鍵穴３１に鍵ｋが挿されて回転され始めると、錠部材３０および施錠装置６０の各部は以下のようになっている。図１６は、実施形態にかかるロック解除動作中の施錠装置６０を背面側から示す概略斜視図である。図１７は、実施形態にかかるロック解除動作中の施錠装置６０を示す概略正面図である。図１８は、実施形態にかかるロック解除動作中の施錠装置６０を示す概略背面図である。図１９は、実施形態にかかるロック解除動作中の施錠装置６０を示す概略左側面図である。図２０Ａは、実施形態にかかるロック解除動作中の施錠装置６０を示す概略右側面図である。図２０Ｂは、図２０Ａの部分拡大図である。
【００８３】
図１６〜図２０Ａに示すように、錠部材３０の鍵穴３１に鍵ｋが挿されて回転されると、すなわち解錠操作が開始されると、錠部材３０および施錠装置６０の各部は以下のようになっている。
【００８４】
鍵ｋが鍵穴３１から挿入され、所定の条件を満たした上で鍵ｋが回転されると、錠部材３０が回転する。錠部材３０が回転すると、カム３２が回転し、第１突出部３２ａおよび第２突出部３２ｃもともに回転する。
【００８５】
図１６および図１８に示すように、解錠操作中の状態においては、カム３２における第１突出部３２ａは、スライド板６３の第１貫通孔６３ｄを通過している状態ではあるものの、係合孔６７ｃの内壁との当接が解除されている。したがって、スライド板６３を下方へ押圧する力も解除される。これにより第１ばね部材８０の付勢力が働き、スライド板６３がスライド規制部材６７の第１バネフック６７ｄとスライド板６３の第１フック６３ｆとが引き付けられる。したがって、スライド板６３が上方へスライドする。
【００８６】
ただし、この状態においては図２０Ａおよび図２０Ｂに示すように第２突出部３２ｃが第２貫通孔６３ｅを通過している状態ではあるものの、中間係合部材６９とは接触しておらず、中間係合部材６９のロック状態は解除されていない。したがって、この状態においては、ロック状態と同様に第２ばね部材８１の付勢力が働き、中間係合部材６９の第２バネフック６９ｃとスライド板６３の第２フック６３ｇとが引き付けられている。したがって、下係合部材６４と第２被係合ピン７１とが係合しており、ロック状態となっている。
【００８７】
＜解除状態＞
図２１〜図２５Ｂを参照して、ロック状態について説明する。図２１〜図２５Ｂに示すように、錠部材３０の鍵穴３１に鍵ｋが挿されて回転が完了すると、錠部材３０および施錠装置６０の各部は以下のようになっている。図２１は、実施形態にかかるロック解除動状態の施錠装置６０を背面側から示す概略斜視図である。図２２は、実施形態にかかるロック解除状態の施錠装置６０を示す概略正面図である。図２３は、実施形態にかかるロック解除状態の施錠装置６０を示す概略背面図である。図２４は、実施形態にかかるロック解除状態の施錠装置６０を示す概略左側面図である。図２５Ａは、実施形態にかかるロック解除状態の施錠装置６０を示す概略右側面図である。図２５Ｂは、図２５Ａの部分拡大図である。
【００８８】
図２１〜図２５Ａに示すように、錠部材３０の鍵穴３１に鍵ｋが挿され、さらに回転が完了すると、すなわち解錠操作が完了されると、錠部材３０および施錠装置６０の各部は以下のようになっている。
【００８９】
また、図２１および図２３に示すように、解錠操作が完了すると、カム３２の第１突出部３２ａは、スライド板６３の第１貫通孔６３ｄから抜けて右側板６１ｂ側に移動する。この状態においては第１ばね部材８０の付勢力により、スライド板６３の上方への付勢がされている状態は、上記解錠中の状態と同様である。
【００９０】
また図２１および図２３に示すように、カム３２における第２突出部３２ｃは、スライド板６３の第２貫通孔６３ｅからスライド規制部材６７側に入り、かつ、中間係合部材６９の吊上部６９ａに当接してさらに当該吊上部６９ａを押し上げる。この状態においては、第２ばね部材８１の付勢力に抗して、中間係合部材６９の第２バネフック６９ｃが押し上げられている。これにより、スライド板６３がさらに押し上げられる。したがって、下係合部材６４と第２被係合ピン７１とが係合しており、ロック状態となっている。また中間係合部材６９もロック状態となっている。
【００９１】
スライド板６３がさらに押し上げられると、上係合部材６２が第１スライド支持軸６３ａに押し上げられて上方かつ後方へ回動する。したがって、上係合部材６２の第１係合凹部６２１と、機本体１１から演出された第１被係合ピン７０の係合が解除される。また下係合部材６４の第２係合凹部６４１と機本体１１の第２被係合ピン７１の係合が解除される。
【００９２】
このようにしてロック状態が解除され、機本体１１に対して前扉１２の開閉動作が可能となる。
【００９３】
（作用効果）
以上説明した本実施形態にかかるパチスロ機１０の作用および効果について説明する。
【００９４】
上述のように、左下側板６１ｆがパチスロ機１０の内側へ突出しており、さらに第２回動軸６４ａが下被覆部６１ｇの突出端側に設けられている。また図９に示すように機本体１１から延出された第２被係合ピン７１は、第２回動軸６４ａより正面側（前側）に位置している。したがって、下係合部材６４が第２被係合ピン７１に係合し、機本体１１と前扉１２のロック状態を形成するように回動する場合、下係合部材６４の回動方向は、パチスロ機１０の正面側かつ下方である。
【００９５】
本実施形態のように機本体１１から延出された第２被係合ピン７１に下係合部材６４を回動させて係合させる構成の場合、当該回動動作に支障がない程度に、下係合部材６４の回動軌跡を確保するために下係合部材６４の長さを設定する必要がある。このような構成によれば、下係合部材６４をパチスロ機１０の内側へ後退させる必要がある。下係合部材６４が後退すれば、すなわち、前扉１２と機本体１１との隙間が生じていても、当該隙間から下係合部材６４までの距離が長くなるため、線材等による不正な下係合部材６４への接触をすることが困難となる。したがって、施錠装置や前扉１２、機本体１１などの構造を複雑化せずに、不正な解錠操作を行うことを防止することが可能となる。
【００９６】
上被覆部６１ｄと同様に、下被覆部６１ｇがパチスロ機１０の内側へ突出しており、さらに第２回動軸６４ａが下被覆部６１ｇの突出端側に設けられている。また図９に示すように機本体１１から延出された第２被係合ピン７１は、第２回動軸６４ａより正面側（前側）に位置している。したがって、下係合部材６４が第２被係合ピン７１に係合し、機本体１１と前扉１２のロック状態を形成するように回動する場合、下係合部材６４の回動方向は、パチスロ機１０の正面側かつ下方である。
【００９７】
本実施形態のように機本体１１から延出された第２被係合ピン７１に下係合部材６４を回動させて係合させる構成の場合、当該回動動作に支障がない程度に、下係合部材６４の回動軌跡を確保することが望ましい。つまり、下係合部材６４の長さをこれに応じて設定する必要がある。このような構成によれば、下係合部材６４をパチスロ機１０の内側へ後退させる必要がある。下係合部材６４が後退すれば、すなわち、前扉１２と機本体１１との隙間が生じていても、当該隙間から下係合部材６４までの距離が長くなるため、線材等による不正な下係合部材６４への接触をすることが困難となる。したがって、施錠装置や前扉１２、機本体１１などの構造を複雑化せずに、不正な解錠操作を行うことを防止することが可能となる。
【００９８】
この発明の実施形態は一例であって、本発明の技術的範囲を限定することを意図していない。これら新規な実施形態は、その他の様々な形態で実施されることが可能である。例えば、パチンコ式遊技機、遊技球を用いた回動式遊技機に適用可能である。また発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９９】
１０    パチスロ機
１１    機本体
１１ａ  ヒンジ
１２    前扉
３０    錠部材
３１    鍵穴
３２    カム
３２ａ  第１突出部
３２ｃ  第２突出部
３２ｅ  第２貫通孔
６０    施錠装置
６１    フレーム
６１ａ  取付板
６１ｂ  右側板
６１ｃ  左上側板
６１ｄ  上被覆部
６１ｅ  上支持凹部
６１ｆ  左下側板
６１ｇ  下被覆部
６１ｈ  下支持凹部
６１ｊ  左中央側板
６１ｋ  錠部材支持孔
６２    上係合部材
６２ａ  第１回動軸
６３    スライド板
６３ａ  第１スライド支持軸
６３ｃ  第２スライド支持軸
６３ｄ  第１貫通孔
６３ｆ  第１フック
６３ｇ  第２フック
６４    下係合部材
６４ａ  第２回動軸
６７    スライド規制部材
６７ａ  規制部材ガイド
６７ｃ  係合孔
６７ｄ  第１バネフック
６９    中間係合部材
６９ａ  吊上部
６９ｃ  第２バネフック
７０    第１被係合ピン
７１    第２被係合ピン
６２１  第１係合凹部
６４１  第２係合凹部
ＧＨ１  上ガイド孔
ＧＨ２  下ガイド孔
ＧＨ３  中間ガイド孔
【図１】
0005800690.tif 000002
【図２】
0005800690.tif 000003
【図３】
0005800690.tif 000004
【図４】
0005800690.tif 000005
【図５】
0005800690.tif 000006
【図６】
0005800690.tif 000007
【図７】
0005800690.tif 000008
【図８】
0005800690.tif 000009
【図９】
0005800690.tif 000010
【図１０Ａ】
0005800690.tif 000011
【図１０Ｂ】
0005800690.tif 000012
【図１１Ａ】
0005800690.tif 000013
【図１１Ｂ】
0005800690.tif 000014
【図１２】
0005800690.tif 000015
【図１３】
0005800690.tif 000016
【図１４】
0005800690.tif 000017
【図１５Ａ】
0005800690.tif 000018
【図１５Ｂ】
0005800690.tif 000019
【図１６】
0005800690.tif 000020
【図１７】
0005800690.tif 000021
【図１８】
0005800690.tif 000022
【図１９】
0005800690.tif 000023
【図２０Ａ】
0005800690.tif 000024
【図２０Ｂ】
0005800690.tif 000025
【図２１】
0005800690.tif 000026
【図２２】
0005800690.tif 000027
【図２３】
0005800690.tif 000028
【図２４】
0005800690.tif 000029
【図２５Ａ】
0005800690.tif 000030
【図２５Ｂ】
0005800690.tif 000031